(57)【特許請求の範囲】
【請求項１】
車両に搭載される照明装置であって、
光源と、
前記光源の動作を制御する回路基板と、
前記回路基板よりも前方に配置されており、前記光源から出射された光の少なくとも一部を通過させるレンズと、
前記光源、前記回路基板、および前記レンズを収容する灯室の一部を区画するハウジングと、
前記ハウジングを貫通して前記灯室内へ延びており、前記ハウジングの外側において回転操作可能なスクリューと、
前記スクリューの回転を、前記レンズの光軸と交差する方向へ前記レンズを変位させる力に変換するジョイントと、
を備えており、
前記スクリューの回転軸は、前記レンズの光軸および前記回路基板の主面と非平行な向きに延びている、
照明装置。
【請求項２】
車両に搭載される照明装置であって、
光源と、
前記光源の動作を制御する回路基板と、
前記回路基板よりも前方に配置されており、前記光源から出射された光の少なくとも一部を通過させるレンズと、
前記光源、前記回路基板、および前記レンズを収容する灯室の一部を区画するハウジングと、
前記ハウジングを貫通して前記灯室内へ延びており、前記ハウジングの外側において回転操作可能なスクリューと、
前記スクリューの回転を、前記レンズの光軸と交差する方向へ前記レンズを変位させる力に変換するジョイントと、
を備えており、
前記スクリューの回転軸は、前記レンズの光軸と交差する方向から見て前記回路基板と重なるように配置されている、
照明装置。
【請求項３】
前記ハウジングに設けられ、前記レンズの光軸と非平行な向きに延びているレールと、
前記レンズと前記レールを連結し、前記レール上を摺動可能な連結部と、
を備えており、
前記ジョイントは、前記スクリューの回転を、前記レールに沿う方向へ前記レンズを変位させる力に変換する、
請求項１または２に記載の照明装置。
【請求項４】
軸体を備えており、
前記ジョイントは、前記スクリューの回転を、前記軸体を中心として前記レンズを前記レンズの光軸と交差する方向へ回動させる力に変換する、
請求項１または２に記載の照明装置。
【請求項５】
前記ジョイントの作用点は、前記スクリューの回転軸よりも後方に位置している、
請求項４に記載の照明装置。
【請求項６】
前記スクリューの回転軸は、前記車両の上下方向に対応する方向に延びている、
請求項１から５のいずれか一項に記載の照明装置。
【発明の詳細な説明】
【技術分野】
【０００１】
本発明は、車両に搭載される照明装置に関する。
【背景技術】
【０００２】
特許文献１は、この種の照明装置の一例であるフォグランプを開示している。当該フォグランプは、ハウジングと透光カバーにより区画された灯室内に、光源とレンズを収容している。光源から出射された光は、レンズを通過することにより、車両前方に所定の配光パターンを形成する。
【０００３】
製品組立時における誤差や車両への組付け精度のばらつきに起因して、レンズの光軸の基準位置に所定の仕様からの誤差が生ずることがある。当該誤差に起因して所望の配光パターンが得られない事態を回避するため、誤差を解消するための調整機構が設けられている。
【０００４】
具体的には、上記のフォグランプは、スクリューとジョイントをさらに備えている。スクリューは、ハウジングを貫通して灯室内へ延びており、ハウジングの外側において回転操作可能である。ジョイントは、スクリューの回転を、レンズの光軸と交差する方向へレンズを変位させる力に変換する。スクリューの回転操作量に応じてレンズが変位し、誤差を解消するように光軸の位置が調節される。
【先行技術文献】
【特許文献】
【０００５】
【特許文献１】特表２０１５−５２２９２９号公報
【発明の概要】
【発明が解決しようとする課題】
【０００６】
本発明は、レンズとその光軸の位置を調整する機構を備えつつも、照明装置の大型化を抑制することを目的とする。
【課題を解決するための手段】
【０００７】
上記の目的を達成するために本発明がとりうる第一の態様は、車両に搭載される照明装置であって、
光源と、
前記光源の動作を制御する回路基板と、
前記回路基板よりも前方に配置されており、前記光源から出射された光の少なくとも一部を通過させるレンズと、
前記光源、前記回路基板、および前記レンズを収容する灯室の一部を区画するハウジングと、
前記ハウジングを貫通して前記灯室内へ延びており、前記ハウジングの外側において回転操作可能なスクリューと、
前記スクリューの回転を、前記レンズの光軸と交差する方向へ前記レンズを変位させる力に変換するジョイントと、
を備えており、
前記スクリューの回転軸は、前記レンズの光軸および前記回路基板の主面と非平行な向きに延びている、
照明装置。
【０００８】
上記の目的を達成するために本発明がとりうる第二の態様は、車両に搭載される照明装置であって、
車両に搭載される照明装置であって、
光源と、
前記光源の動作を制御する回路基板と、
前記回路基板よりも前方に配置されており、前記光源から出射された光の少なくとも一部を通過させるレンズと、
前記光源、前記回路基板、および前記レンズを収容する灯室の一部を区画するハウジングと、
前記ハウジングを貫通して前記灯室内へ延びており、前記ハウジングの外側において回転操作可能なスクリューと、
前記スクリューの回転を、前記レンズの光軸と交差する方向へ前記レンズを変位させる力に変換するジョイントと、
を備えており、
前記スクリューの回転軸は、前記レンズの光軸と交差する方向から見て前記回路基板と重なるように配置されている。
【０００９】
上記のような構成によれば、光源の動作を制御する制御回路を備えることにより比較的大きな面積を有する回路基板の主面を、レンズの光軸と平行な向きに延びるように配置できる。これにより、レンズとその光軸の位置を調整する機構を備えつつも、特に光軸に沿う方向から見た照明装置の断面積が大きくなることを抑制できる。
【００１０】
上記の照明装置は、以下のように構成されうる。
前記ハウジングに設けられ、前記レンズの光軸と非平行な向きに延びているレールと、
前記レンズと前記レールを連結し、前記レール上を摺動可能な連結部と、
を備えており、
前記ジョイントは、前記スクリューの回転を、前記レールに沿う方向へ前記レンズを変位させる力に変換する。
【００１１】
特許文献１に記載された構成においては、レンズに回動軸が形成されており、当該回動軸がハウジングに支持されている。スクリューの回転動作は、ジョイントによってレンズの回動軸を中心とした回動動作に変換される。このような構成の場合、許容される光軸の変位量を大きくしようとすると、回動軸とスクリューの作用点の距離が大きくなることが避けられない。
【００１２】
他方、上記の構成によれば、レンズをハウジングに設けられたレールに沿って変位させるという簡易な手法でレンズの光軸を平行移動させる。そのため、光軸調整機構の作用点とレンズを近づけても、許容される光軸の変位量を大きく確保できる。したがって、レンズとその光軸の位置を調整する機構を備えつつも、特に光軸に沿う方向について、照明装置の大型化を抑制できる。
【００１３】
あるいは、上記の照明装置は、以下のように構成されうる。
軸体を備えており、
前記ジョイントは、前記スクリューの回転を、前記軸体を中心として前記レンズを前記レンズの光軸と交差する方向へ回動させる力に変換する。
【００１４】
この場合、特許文献１に記載された照明装置と同様の動作原理に基づく機構を採用しつつも、回路基板がレンズの後方の空間を効率的に利用するように配置されているため、特に光軸に沿う方向から見た照明装置の断面積が大きくなることを抑制できる。
【００１５】
この場合、上記の照明装置は、以下のように構成されうる。
前記ジョイントの作用点は、前記スクリューの回転軸よりも後方に位置している。
【００１６】
このような構成によれば、スクリューをレンズに対して可及的に近い位置に配置しても、レンズの変位量を大きくしやすい。したがって、レンズの周辺空間を効率的に利用するレイアウトを採用しつつも、許容される光軸の変位量を大きく確保できる。すなわち、照明装置の大型化の抑制と、光軸の調整自由度の確保を両立できる。
【００１７】
上記の照明装置は、以下のように構成されうる。
前記スクリューの回転軸は、前記車両の上下方向に対応する向きに延びている。
【００１８】
このような構成によれば、例えば車両の前部に搭載されるフォグランプに光軸調整機構を装備させつつ、大型化を抑制できる。
【図面の簡単な説明】
【００１９】
【図１】第一実施形態に係るフォグランプを示す斜視図である。
【図２】図１のフォグランプの一部を示す正面図である。
【図３】図１のフォグランプを示す斜視図である。
【図４】図１のフォグランプの一部を示す正面図である。
【図５】図１のフォグランプの一部を示す斜視図である。
【図６】図１のフォグランプの一部を示す断面図である。
【図７】図１のフォグランプの一部を示す斜視図である。
【図８】図１のフォグランプにおける投影レンズを示す斜視図である。
【図９】図１のフォグランプの一部を示す断面図である。
【図１０】第二実施形態に係るフォグランプを示す斜視図である。
【図１１】図１０のフォグランプの一部を示す正面図である。
【図１２】図１０のフォグランプを示す斜視図である。
【図１３】図１０のフォグランプの一部を示す正面図である。
【図１４】図１０のフォグランプの一部を示す斜視図である。
【図１５】図１０のフォグランプの一部を示す断面図である。
【図１６】図１０のフォグランプにおける光軸調整機構を示す斜視図である。
【図１７】図１０のフォグランプの一部を示す斜視図である。
【図１８】図１０のフォグランプの一部を示す断面図である。
【図１９】図１６の光軸調整機構の動作を説明する図である。
【図２０】第三実施形態に係るフォグランプを示す斜視図である。
【図２１】図２０のフォグランプの一部を示す正面図である。
【図２２】図２０のフォグランプを示す斜視図である。
【図２３】図２０のフォグランプの一部を示す正面図である。
【図２４】図２０のフォグランプの一部を示す斜視図である。
【図２５】図２０のフォグランプの一部を示す断面図である。
【図２６】図２０のフォグランプにおける光軸調整機構を示す斜視図である。
【図２７】図２０のフォグランプの一部を示す断面図である。
【図２８】図２６の光軸調整機構の動作を説明する図である。
【図２９】スクリューの配置に係る変形例を説明する図である。
【図３０】スクリューの配置に係る変形例を説明する図である。
【図３１】スクリューの配置に係る変形例を説明する図である。
【発明を実施するための形態】
【００２０】
添付の図面を参照しつつ、本発明に係る実施形態の例について以下詳細に説明する。以下の説明に用いる各図面では、各部材を認識可能な大きさとするために縮尺を適宜変更している。
【００２１】
添付の図面において、矢印Ｆは、図示された構造の前方向を示している。矢印Ｂは、図示された構造の後方向を示している。矢印Ｕは、図示された構造の上方向を示している。矢印Ｄは、図示された構造の下方向を示している。矢印Ｒは、図示された構造の右方向を示している。矢印Ｌは、図示された構造の左方向を示している。以降の説明に用いる「右」および「左」は、運転席から見た左右の方向を示している。
【００２２】
図１は、第一実施形態に係るフォグランプ２１（照明装置の一例）を左前上方から見た外観を示す斜視図である。フォグランプ２１は、車両の前部に搭載される。フォグランプ２１は、ハウジング２２と透光カバー２３を備えている。
【００２３】
図２は、図１に示した状態から透光カバー２３を取り外したフォグランプ２１の外観を示す正面図である。透光カバー２３は、ハウジング２２に装着されて灯室２４を区画している。フォグランプ２１は、投影レンズ２５を備えている。投影レンズ２５は、灯室２４内に収容されている。
【００２４】
図３は、フォグランプ２１を左後下方から見た外観を示す斜視図である。フォグランプ２１は、放熱部材２６を備えている。放熱部材２６は、金属などの熱伝導性が比較的高い材料により成形されている。放熱部材２６は、背板２６ａと複数の放熱板２６ｂを備えている。背板２６ａは、ハウジング２２の後部に装着されて灯室２４の内側と外側を隔てている。複数の放熱板２６ｂは、背板２６ａの後面に設けられている。すなわち、複数の放熱板２６ｂは、灯室２４の外側に位置している。複数の放熱板２６ｂは、上下方向に延びている。
【００２５】
図４は、図２に示した状態から投影レンズ２５を取り外したフォグランプ２１の外観を示す正面図である。フォグランプ２１は、光源ユニット２７を備えている。
【００２６】
図５は、図４に示した状態からハウジング２２を取り外したフォグランプ２１を左前下方から見た外観を示す斜視図である。光源ユニット２７は、光源２７１、第一回路基板２７２、および第二回路基板２７３を備えている。
【００２７】
光源２７１は、所定の波長を含む光を出射する半導体発光素子である。半導体発光素子の例としては、発光ダイオード（ＬＥＤ）、レーザダイオード（ＬＤ）、有機ＥＬ素子などが挙げられる。光源２７１は、第一回路基板２７２に搭載されている。第一回路基板２７２は、表面に絶縁層が形成された金属基板である。
【００２８】
第一回路基板２７２は、光源２７１と電気的に接続された電気回路２７２ａを備えている（詳細な回路構造の図示は省略する）。第一回路基板２７２は、第一コネクタ２７２ｂを備えている。第一コネクタ２７２ｂは、電気回路２７２ａと電気的に接続されている。
【００２９】
第二回路基板２７３は、光源２７１の点消灯を含む動作を制御するための素子群を含む制御回路２７３ａを備えている（詳細な回路構造の図示は省略する）。第二回路基板２７３は、第二コネクタ２７３ｂを備えている。第二コネクタ２７３ｂは、制御回路２７３ａと電気的に接続されている。
【００３０】
第一コネクタ２７２ｂと第二コネクタ２７３ｂは、不図示の接続ユニットにより電気的に接続される。接続ユニットは、第一コネクタ２７２ｂに接続されるコネクタと、第二コネクタ２７３ｂに接続されるコネクタと、両コネクタを電気的に接続する接続線を備えている。結果として、光源２７１と制御回路２７３ａが電気的に接続されている。
【００３１】
図６は、図２における線Ｖ２−Ｖ２に沿うフォグランプ２１の断面を矢印方向から見た構成を示している。なお、透光カバー２３も図示に含まれている。
【００３２】
放熱部材２６は、支持テーブル２６ｄを備えている。支持テーブル２６ｄは、背板２６ａの前面より前方に突出している。すなわち、支持テーブル２６ｄは、灯室２４の内側に位置している。
【００３３】
第一回路基板２７２は、ネジなどの締結部材によって支持テーブル２６ｄの前面に固定されている。第二回路基板２７３は、ネジなどの締結部材によって支持テーブル２６ｄの下面に固定されている。
【００３４】
車両側から電力を供給するためのコネクタ（不図示）が、ハウジング２２または放熱部材２６に設けられた給電コネクタ（不図示）に接続される。供給された電力は、制御回路２７３ａに入力される。制御回路２７３ａは、所望の動作に応じた制御信号を出力する。ここで「制御信号」とは、光源２７１の動作状態を規定する電圧または電流の経時的変化を意味する。一時的に一定値をとり続けることもまた「経時的変化」の意味に含む。
【００３５】
出力された信号は、接続ユニットを介して第一回路基板２７２の電気回路２７２ａに入力され、光源２７１に至る。光源２７１は、制御信号に応じた強度の光を出射する。光源２７１から出射された光の少なくとも一部は、投影レンズ２５を通過する。投影レンズ２５を通過した光は透光カバー２３を通過し、フォグランプ２１の前方を所定の配光パターンで照明する。
【００３６】
光源２７１の光出射動作に伴い生じる熱は、第一回路基板２７２を介して放熱部材２６に伝わり、放熱部材２６によって放散される。
【００３７】
製品組立時における誤差や車両への組付け精度のばらつきに起因して、投影レンズ２５の光軸Ａ２の基準位置に所定の仕様からの誤差が生ずることがある。当該誤差に起因して所望の配光パターンが得られない事態を回避するため、図６に示されるように、フォグランプ２１は、誤差を解消するための光軸調整機構２８を備えている。
【００３８】
図７は、図２に示した状態から放熱部材２６と光源ユニット２７を取り外したフォグランプ２１を左後方から見た外観を示す斜視図である。フォグランプ２１は、第一レール２９１と第二レール２９２を備えている。第一レール２９１は、灯室２４内において上下方向に延びている。第一レール２９１は、ハウジング２２と一体に形成されている。すなわち、第一レール２９１の上端部と下端部は、ハウジング２２の内壁と一体とされている。第二レール２９２は、灯室２４内において上下方向に延びている。第二レール２９２は、ハウジング２２と一体に形成されている。すなわち、第二レール２９２の上端部と下端部は、ハウジング２２の内壁と一体とされている。
【００３９】
光軸調整機構２８は、投影レンズ２５を第一レール２９１と第二レール２９２に沿って変位させる機構である。光軸調整機構２８は、スクリュー２８１、ジョイント２８２、第一連結部２８３、および第二連結部２８４を含んでいる。
【００４０】
スクリュー２８１は、スクリューヘッド２８１ａとスクリューシャフト２８１ｂを備えている。スクリュー２８１は、ハウジング２２を貫通して灯室２４内に延びている。図６に示されるように、スクリューヘッド２８１ａは、ハウジング２２の外側に配置されている。スクリューヘッド２８１ａは、所定の工具により回転操作可能とされている。図７に示されるように、スクリューシャフト２８１ｂは、ハウジング２２の内側、すなわち灯室２４内に配置されている。スクリューシャフト２８１ｂの外周面にはネジ溝が形成されている。
【００４１】
図８は、投影レンズ２５を左後下方から見た外観を示す斜視図である。ジョイント２８２は、投影レンズ２５の下部に設けられている。ジョイント２８２は、スクリュー２８１の回転を、第一レール２９１と第二レール２９２に沿う方向へ投影レンズ２５を変位させる力に変換するように構成されている。
【００４２】
具体的には、ジョイント２８２は、第一保持片２８２ａと第二保持片２８２ｂを備えている。第一保持片２８２ａと第二保持片２８２ｂは、投影レンズ２５の下部から後方へ向かって延びている。第二保持片２８２ｂの左側面にはネジ溝が形成されている。同様に、第一保持片２８２ａの右側面にはネジ溝が形成されている。
【００４３】
第一連結部２８３は、投影レンズ２５の左部に設けられている。第一連結部２８３は、第一摺動溝２８３ａと第一係止片２８３ｂを備えている。第一摺動溝２８３ａは上下方向に延びている。第一係止片２８３ｂは、第一連結部２８３の左端部に設けられている。
【００４４】
第二連結部２８４は、投影レンズ２５の右部に設けられている。第二連結部２８４は、第二摺動溝２８４ａと第二係止片２８４ｂを備えている。第二摺動溝２８４ａは上下方向に延びている。第二係止片２８４ｂは、第二連結部２８４の右端部に設けられている。
【００４５】
図９は、図２における線Ｈ２−Ｈ２に沿うフォグランプ２１の断面を矢印方向から見た構成を示している。ハウジング２２は、第一係止腕２２１と第二係止腕２２２を備えている。第一係止腕２２１は、ハウジング２２の左内壁に片持ち梁状に設けられている。第二係止腕２２２は、ハウジング２２の右内壁に片持ち梁状に設けられている。
【００４６】
投影レンズ２５が灯室２４の前方から装着されると、第一連結部２８３の第一係止片２８３ｂがハウジング２２の第一係止腕２２１を左方に撓ませ、第二連結部２８４の第二係止片２８４ｂがハウジング２２の第二係止腕２２２を右方に撓ませる。
【００４７】
投影レンズ２５が所定の位置に配置されると、第一係止腕２２１と第二係止腕２２２が元の位置に復帰し、第一係止片２８３ｂおよび第二係止片２８４ｂと係合する。これにより、投影レンズ２５の前方への変位が規制される。
【００４８】
他方、図７と図９に示されるように、第一連結部２８３の第一摺動溝２８３ａが第一レール２９１と嵌合し、第二連結部２８４の第二摺動溝２８４ａが第二レール２９２と嵌合する。すなわち、第一連結部２８３は投影レンズ２５と第一レール２９１を連結し、第二連結部２８４は投影レンズ２５と第二レール２９２を連結する。
【００４９】
さらに、図７から図９より明らかなように、スクリュー２８１のスクリューシャフト２８１ｂが、ジョイント２８２の第一保持片２８２ａと第二保持片２８２ｂにより挟持される。このとき、スクリューシャフト２８１ｂに形成されたネジ溝が、第一保持片２８２ａおよび第二保持片２８２ｂに形成されたネジ溝と嵌合する。
【００５０】
上記のように構成された光軸調整機構２８の動作について説明する。ハウジング２２の外側に配置されたスクリューヘッド２８１ａが所定の工具により回転操作されることにより、灯室２４内に配置されたスクリューシャフト２８１ｂが操作方向に回転する。スクリューシャフト２８１ｂの回転は、第一保持片２８２ａと第二保持片２８２ｂに形成されたネジ溝を介してジョイント２８２の上下方向の動きに変換される。ジョイント２８２の上下方向への変位に伴い、第一連結部２８３は第一レール２９１上を摺動し、第二連結部２８４は第二レール２９２上を摺動する。
【００５１】
したがって、スクリューヘッド２８１ａの回転操作に応じて投影レンズ２５の光軸Ａ２を上下方向へ平行移動させることができる。このような光軸の基準位置の調整は、フォグランプ２１の出荷前や保守点検時に行なわれる。
【００５２】
図６に示されるように、本実施形態においては、投影レンズ２５は、第二回路基板２７３よりも前方に配置されている。スクリュー２８１の回転軸Ｓ２は、投影レンズ２５の光軸Ａ２と交差する向き（非平行な向きの一例）に延びている。また、スクリュー２８１の回転軸Ｓ２は、第二回路基板２７３の主面と非平行な向きに延びている。換言すると、スクリュー２８１の回転軸Ｓ２と第二回路基板２７３の主面は、ねじれの位置関係にある。以降の説明において「回路基板の主面」とは、当該回路基板において最も面積の広い面を意味する。
【００５３】
このような構成によれば、光源２７１の動作を制御する制御回路２７３ａを備えることにより比較的大きな面積を有する第二回路基板２７３の主面を、投影レンズ２５の光軸Ａ２と平行な向きに延びるように配置できる。本実施形態においては、第二回路基板２７３の主面は、前後左右方向に延びている。これにより、投影レンズ２５と光軸調整機構２８を備えつつも、特に光軸Ａ２に沿う方向から見たフォグランプ２１の断面積が大きくなることを抑制できる。
【００５４】
図７に示されるように、本実施形態においては、第一レール２９１と第二レール２９２がハウジング２２に設けられており、スクリュー２８１の回転がジョイント２８２によって第一レール２９１と第二レール１９２に沿う投影レンズ２５の動きに変換される。これにより、投影レンズ２５の光軸Ａ２は、上下方向に平行移動される。
【００５５】
特許文献１に記載された構成においては、投影レンズに回動軸が形成されており、当該回動軸がハウジングに支持されている。スクリューの回転動作は、ジョイントによって投影レンズの回動軸を中心とした回動動作に変換される。このような構成の場合、許容される光軸の変位量を大きくしようとすると、回動軸とスクリューの作用点の距離が大きくなることが避けられない。
【００５６】
他方、本実施形態の構成によれば、光軸調整機構２８の作用点と投影レンズ２５を近づけても、許容される光軸Ａ２の変位量を大きく確保できる。したがって、投影レンズ２５と光軸調整機構２８を備えつつも、特に光軸Ａ２に沿う方向のフォグランプ２１の大型化を抑制できる。
【００５７】
上記の実施形態は、本発明の理解を容易にするための例示にすぎない。上記の実施形態に係る構成は、本発明の趣旨を逸脱しなければ、適宜に変更・改良されうる。また、等価物が本発明の技術的範囲に含まれることは明らかである。
【００５８】
第一実施形態においては、照明装置の一例としてフォグランプ２１を例示した。しかしながら、本発明は、車両に搭載されるように構成され、レンズと当該レンズの光軸を調整する機構を備える各種の照明装置に適用可能である。フォグランプ２１の前後方向、左右方向、および上下方向と車両の前後方向、左右方向、および上下方向はそれぞれ一致している。しかしながら、本発明が適用される照明装置によっては、当該照明装置の前後方向、左右方向、および上下方向と車両の前後方向、左右方向、および上下方向の少なくとも一つは一致しない。
【００５９】
すなわち、照明装置が搭載される車両の箇所によっては、スクリュー２８１の回転軸Ｓ２の延びる方向は、投影レンズ２５の光軸Ａ２と非平行な向きであれば、車両の左右方向あるいは前後方向でありうる。
【００６０】
第一実施形態においては、光軸調整機構２８による投影レンズ２５の変位を案内するために第一レール２９１と第二レール２９２が設けられている。しかしながら、投影レンズ１５の所望の変位を実現できるのであれば、設けられるレールの数は一本でもよいし、三本以上でもよい。
【００６１】
図１０は、第二実施形態に係るフォグランプ３１（照明装置の一例）を左前上方から見た外観を示す斜視図である。フォグランプ３１は、車両の前部に搭載される。フォグランプ３１は、ハウジング３２と透光カバー３３を備えている。
【００６２】
図１１は、図１０に示した状態から透光カバー３３を取り外したフォグランプ３１の外観を示す正面図である。透光カバー３３は、ハウジング３２に装着されて灯室３４を区画している。フォグランプ３１は、投影レンズ３５を備えている。投影レンズ３５は、灯室３４内に収容されている。
【００６３】
図１２は、フォグランプ３１を左後下方から見た外観を示す斜視図である。フォグランプ３１は、放熱部材３６を備えている。放熱部材３６は、金属などの熱伝導性が比較的高い材料により成形されている。放熱部材３６は、背板３６ａと複数の放熱板３６ｂを備えている。背板３６ａは、ハウジング３２の後部に装着されて灯室３４の内側と外側を隔てている。複数の放熱板３６ｂは、背板３６ａの後面に設けられている。すなわち、複数の放熱板３６ｂは、灯室３４の外側に位置している。複数の放熱板３６ｂは、上下方向に延びている。
【００６４】
図１３は、図１１に示した状態から投影レンズ３５を取り外したフォグランプ３１の外観を示す正面図である。フォグランプ３１は、光源ユニット３７と光軸調整機構３８を備えている。
【００６５】
図１４は、図１３に示した状態からハウジング３２と光軸調整機構３８を取り外したフォグランプ３１を左前下方から見た外観を示す斜視図である。光源ユニット３７は、光源３７１、第一回路基板３７２、および第二回路基板３７３を備えている。
【００６６】
光源３７１は、所定の波長を含む光を出射する半導体発光素子である。半導体発光素子の例としては、発光ダイオード（ＬＥＤ）、レーザダイオード（ＬＤ）、有機ＥＬ素子などが挙げられる。光源３７１は、第一回路基板３７２に搭載されている。第一回路基板３７２は、表面に絶縁層が形成された金属基板である。
【００６７】
第一回路基板３７２は、光源３７１と電気的に接続された電気回路３７２ａを備えている（詳細な回路構造の図示は省略する）。第一回路基板３７２は、第一コネクタ３７２ｂを備えている。第一コネクタ３７２ｂは、電気回路３７２ａと電気的に接続されている。
【００６８】
第二回路基板３７３は、光源３７１の点消灯を含む動作を制御するための素子群を含む制御回路３７３ａを備えている（詳細な回路構造の図示は省略する）。第二回路基板３７３は、第二コネクタ３７３ｂを備えている。第二コネクタ３７３ｂは、制御回路３７３ａと電気的に接続されている。
【００６９】
第一コネクタ３７２ｂと第二コネクタ３７３ｂは、不図示の接続ユニットにより電気的に接続される。接続ユニットは、第一コネクタ３７２ｂに接続されるコネクタと、第二コネクタ３７３ｂに接続されるコネクタと、両コネクタを電気的に接続する接続線を備えている。結果として、光源３７１と制御回路３７３ａが電気的に接続されている。
【００７０】
図１５は、図１１における線Ｖ３１−Ｖ３１に沿うフォグランプ３１の断面を矢印方向から見た構成を示している。なお、透光カバー３３も図示に含まれている。
【００７１】
放熱部材３６は、支持テーブル３６ｄを備えている。支持テーブル３６ｄは、背板３６ａの前面より前方に突出している。すなわち、支持テーブル３６ｄは、灯室３４の内側に位置している。
【００７２】
第一回路基板３７２は、ネジなどの締結部材によって支持テーブル３６ｄの前面に固定されている。第二回路基板３７３は、ネジなどの締結部材によって支持テーブル３６ｄの下面に固定されている。
【００７３】
車両側から電力を供給するためのコネクタ（不図示）が、ハウジング３２または放熱部材３６に設けられた給電コネクタ（不図示）に接続される。供給された電力は、制御回路３７３ａに入力される。制御回路３７３ａは、所望の動作に応じた制御信号を出力する。ここで「制御信号」とは、光源３７１の動作状態を規定する電圧または電流の経時的変化を意味する。一時的に一定値をとり続けることもまた「経時的変化」の意味に含む。
【００７４】
出力された信号は、接続ユニットを介して第一回路基板３７２の電気回路３７２ａに入力され、光源３７１に至る。光源３７１は、制御信号に応じた強度の光を出射する。光源３７１から出射された光の少なくとも一部は、投影レンズ３５を通過する。投影レンズ３５を通過した光は透光カバー３３を通過し、フォグランプ３１の前方を所定の配光パターンで照明する。
【００７５】
光源３７１の光出射動作に伴い生じる熱は、第一回路基板３７２を介して放熱部材３６に伝わり、放熱部材３６によって放散される。
【００７６】
製品組立時における誤差や車両への組付け精度のばらつきに起因して、投影レンズ３５の光軸Ａ３の基準位置に所定の仕様からの誤差が生ずることがある。当該誤差に起因して所望の配光パターンが得られない事態を回避するため、図１３に示されるように、フォグランプ３１は、誤差を解消するための光軸調整機構３８を備えている。
【００７７】
図１６は、光軸調整機構３８を左後上方から見た外観を示す斜視図である。光軸調整機構３８は、スクリュー３８１、ジョイント３８２、およびレンズ支持体３８３を含んでいる。
【００７８】
図１７は、図１１における線Ｖ３２−Ｖ３２に沿うフォグランプ３１の断面を矢印方向から見た構成を示している。スクリュー３８１は、スクリューヘッド３８１ａとスクリューシャフト３８１ｂを備えている。スクリュー３８１は、ハウジング３２を貫通して灯室３４内に延びている。
【００７９】
スクリューヘッド３８１ａは、ハウジング３２の外側に配置されている。スクリューヘッド３８１ａは、所定の工具により回転操作可能とされている。
【００８０】
スクリューシャフト３８１ｂは、ハウジング３２の内側、すなわち灯室３４内に配置されている。図１６に示されるように、スクリューシャフト３８１ｂの外周面にはネジ溝が形成されている。
【００８１】
ジョイント３８２は、螺合部３８２ａ、腕部３８２ｂ、および第一連結部３８２ｃを備えている。
【００８２】
螺合部３８２ａは、上下方向に延びる溝を有している。当該溝の内周面にはネジ溝が形成されている。螺合部３８２ａは、スクリュー３８１のスクリューシャフト３８１ｂと結合されている。螺合部３８２ａの内周面に形成されたネジ溝と、スクリューシャフト３８１ｂの外周面に形成されたネジ溝とが螺合している。
【００８３】
腕部３８２ｂは、螺合部３８２ａより後方へ延びている。第一連結部３８２ｃは、腕部３８２ｂの後端部から左方に延びる突起である。
【００８４】
レンズ支持体３８３は、支持フレーム３８３ａ、左腕部３８３ｂ、左回動軸３８３ｃ、右腕部３８３ｄ、右回動軸３８３ｅ（図１３参照）、および第二連結部３８３ｆを備えている。
【００８５】
支持フレーム３８３ａは、投影レンズ３５を支持する枠体である。左腕部３８３ｂは、支持フレーム３８３ａの左部から後方へ延びている。左回動軸３８３ｃは、左腕部３８３ｂより左方に延びる軸体である。右腕部３８３ｄは、支持フレーム３８３ａの右部から後方へ延びている。右回動軸３８３ｅは、右腕部３８３ｄより右方に延びる軸体である。
【００８６】
第二連結部３８３ｆは、左腕部３８３ｂの後端部に形成された溝である。第二連結部３８３ｆは、ジョイント３８２の第一連結部３８２ｃと連結されている。具体的には、突起である第一連結部３８２ｃが溝である第二連結部３８３ｆに受容されている。当該突起は、当該溝内で回動可能とされている。
【００８７】
図１４に示されるように、放熱部材３６は、左軸受部３６１と右軸受部３６２を備えている。左軸受部３６１の前端には軸受溝が形成されており、前方に開口している。同様に、右軸受部３６２の前端には軸受溝が形成されており、前方に開口している。
【００８８】
図１３に示されるように、ハウジング３２は、左軸受部３２１と右軸受部３２２を備えている。図１８は、図１１における線Ｖ３３−Ｖ３３に沿うフォグランプ３１の断面を矢印方向から見た構成を示している。左軸受部３２１の後端には軸受溝が形成されており、後方に開口している。同様に、右軸受部３２２の後端には軸受溝が形成されており、後方に開口している。
【００８９】
ハウジング３２と放熱部材３６が結合されることにより、レンズ支持体３８３の左回動軸３８３ｃは、回動を許容された状態でハウジング３２の左軸受部３２１と放熱部材３６の左軸受部３６１により挟持される。左右対称の構成であるため図示を省略するが、同様に、レンズ支持体３８３の右回動軸３８３ｅは、回動を許容された状態でハウジング３２の右軸受部３２２と放熱部材３６の右軸受部３６２により挟持される。
【００９０】
このように構成された光軸調整機構３８の動作について、図１９を参照して説明する。スクリュー３８１のスクリューヘッド３８１ａが所定の工具により所定の方向（例えば、反時計回り）に回転されると、スクリューシャフト３８１ｂとジョイント３８２の螺合部３８２ａの螺合により、螺合部３８２ａが上方に変位する。これに伴い、ジョイント３８２の第一連結部３８２ｃも上方に変位する。これにより、レンズ支持体３８３の第二連結部３８３ｆが上方に持ち上げられ、レンズ支持体３８３は、左回動軸３８３ｃと右回動軸３８３ｅを中心として同図における反時計回りに回動する。したがって、投影レンズ３５の光軸Ａ３は、下方に向かって傾く。
【００９１】
スクリューヘッド３８１ａが逆方向（例えば時計回り）に回転されると、スクリューシャフト３８１ｂとジョイント３８２の螺合部３８２ａの螺合により、螺合部３８２ａが下方に変位する。これに伴い、ジョイント３８２の第一連結部３８２ｃも下方に変位する。これにより、レンズ支持体３８３の第二連結部３８３ｆが下方に押し下げられ、レンズ支持体３８３は、左回動軸３８３ｃと右回動軸３８３ｅを中心として同図における時計回りに回動する。したがって、投影レンズ３５の光軸Ａ３は、上方に向かって傾く。
【００９２】
すなわち、ジョイント３８２は、スクリュー３８１の回転を、投影レンズ３５の光軸Ａ３と交差する方向へ投影レンズ３５を変位させる力に変換している。
【００９３】
このような光軸の基準位置の調整は、フォグランプ３１の出荷前や保守点検時に行なわれる。
【００９４】
図１７に示されるように、本実施形態においては、投影レンズ３５は、第二回路基板３７３よりも前方に配置されている。スクリュー３８１の回転軸Ｓ３は、投影レンズ３５の光軸Ａ３と非平行な向きに延びている。換言すると、スクリュー３８１の回転軸Ｓ３と投影レンズ３５の光軸Ａ３は、ねじれの位置関係にある。また、スクリュー３８１の回転軸Ｓ３は、第二回路基板３７３の主面と非平行な向きに延びている。換言すると、スクリュー３８１の回転軸Ｓ３と第二回路基板３７３の主面は、ねじれの位置関係にある。
【００９５】
このような構成によれば、光源３７１の動作を制御する制御回路３７３ａを備えることにより比較的大きな面積を有する第二回路基板３７３の主面を、投影レンズ３５の光軸Ａ３と平行な向きに延びるように配置できる。本実施形態においては、第二回路基板３７３の主面は、前後左右方向に延びている。これにより、投影レンズ３５と光軸調整機構３８を備えつつも、特に光軸Ａ３に沿う方向から見たフォグランプ３１の断面積が大きくなることを抑制できる。
【００９６】
本実施形態においては、図１９に示されるように、ジョイント３８２は、スクリュー３８１の回転を、レンズ支持体３８３に設けられた左回動軸３８３ｃおよび右回動軸３８３ｅを中心として投影レンズ３５を光軸Ａ３と交差する方向へ回動させる力に変換する。
【００９７】
この場合、特許文献１に記載された照明装置と同様の動作原理に基づく光軸調整機構３８を採用しつつも、第二回路基板３７３が投影レンズ３５の後方の空間を効率的に利用するように配置されているため、特に光軸Ａ３に沿う方向から見たフォグランプ３１の断面積が大きくなることを抑制できる。
【００９８】
本実施形態においては、図１９に示されるように、ジョイント３８２の作用点、すなわち第一連結部３８２ｃは、スクリュー３８１の回転軸Ｓ３よりも後方に位置している。
【００９９】
このような構成によれば、スクリュー３８１を投影レンズ３５に対して可及的に近い位置に配置しても、投影レンズ３５の変位量を大きくしやすい。したがって、投影レンズ３５の後方の空間を効率的に利用するレイアウトを採用しつつも、許容される光軸Ａ３の変位量を大きく確保できる。すなわち、フォグランプ３１の大型化の抑制と、光軸Ａ３の調整自由度の確保を両立できる。
【０１００】
上記の実施形態は、本発明の理解を容易にするための例示にすぎない。上記の実施形態に係る構成は、本発明の趣旨を逸脱しなければ、適宜に変更・改良されうる。また、等価物が本発明の技術的範囲に含まれることは明らかである。
【０１０１】
第二実施形態においては、照明装置の一例としてフォグランプ３１を例示した。しかしながら、本発明は、車両に搭載されるように構成され、レンズと当該レンズの光軸を調整する機構を備える各種の照明装置に適用可能である。フォグランプ３１の前後方向、左右方向、および上下方向と車両の前後方向、左右方向、および上下方向はそれぞれ一致している。しかしながら、本発明が適用される照明装置によっては、当該照明装置の前後方向、左右方向、および上下方向と車両の前後方向、左右方向、および上下方向の少なくとも一つは一致しない。
【０１０２】
すなわち、照明装置が搭載される車両の箇所によっては、スクリュー３８１の回転軸Ｓ３の延びる方向は、投影レンズ３５の光軸Ａ３と非平行な向きであれば、車両の左右方向あるいは前後方向でありうる。
【０１０３】
第二実施形態においては、左回動軸３８３ｃと右回動軸３８３ｅが設けられたレンズ支持体３８３と投影レンズ３５は別部材である。しかしながら、投影レンズ３５とレンズ支持体３８３は、一体の樹脂成型品として構成されうる。
【０１０４】
第二実施形態においては、レンズ支持体３８３に軸体としての左回動軸３８３ｃと右回動軸３８３ｅが設けられており、ハウジング３２と放熱部材３６に設けられた軸受部により当該軸体が保持されている。しかしながら、ハウジング３２と放熱部材３６の少なくとも一方に軸体が設けられ、レンズ支持体３８３に設けられた軸受部により当該軸体が保持される構成も採用されうる。
【０１０５】
第二実施形態においては、ジョイント３８２の第一連結部３８２ｃが突起であり、レンズ支持体３８３の第二連結部３８３ｆが当該突起を受容する溝である。しかしながら、レンズ支持体３８３の第二連結部３８３ｆが突起であり、ジョイント３８２の第一連結部３８２ｃが当該突起を受容する溝である構成も採用されうる。
【０１０６】
図２０は、第三実施形態に係るフォグランプ４１（照明装置の一例）を左前上方から見た外観を示す斜視図である。フォグランプ４１は、車両の前部に搭載される。フォグランプ４１は、ハウジング４２と透光カバー４３を備えている。
【０１０７】
図２１は、図２０に示した状態から透光カバー４３を取り外したフォグランプ４１の外観を示す正面図である。透光カバー４３は、ハウジング４２に装着されて灯室４４を区画している。フォグランプ４１は、投影レンズ４５を備えている。投影レンズ４５は、灯室４４内に収容されている。
【０１０８】
図２２は、フォグランプ４１を左後下方から見た外観を示す斜視図である。フォグランプ４１は、放熱部材４６を備えている。放熱部材４６は、金属などの熱伝導性が比較的高い材料により成形されている。放熱部材４６は、背板４６ａと複数の放熱板４６ｂを備えている。背板４６ａは、ハウジング４２の後部に装着されて灯室４４の内側と外側を隔てている。複数の放熱板４６ｂは、背板４６ａの後面に設けられている。すなわち、複数の放熱板４６ｂは、灯室４４の外側に位置している。複数の放熱板４６ｂは、上下方向に延びている。
【０１０９】
図２３は、図２１に示した状態から投影レンズ４５を取り外したフォグランプ４１の外観を示す正面図である。フォグランプ４１は、光源ユニット４７と光軸調整機構４８を備えている。
【０１１０】
図２４は、図２３に示した状態からハウジング４２と光軸調整機構４８を取り外したフォグランプ４１を左前下方から見た外観を示す斜視図である。光源ユニット４７は、光源４７１、第一回路基板４７２、および第二回路基板４７３を備えている。
【０１１１】
光源４７１は、所定の波長を含む光を出射する半導体発光素子である。半導体発光素子の例としては、発光ダイオード（ＬＥＤ）、レーザダイオード（ＬＤ）、有機ＥＬ素子などが挙げられる。光源４７１は、第一回路基板４７２に搭載されている。第一回路基板４７２は、表面に絶縁層が形成された金属基板である。
【０１１２】
第一回路基板４７２は、光源４７１と電気的に接続された電気回路４７２ａを備えている（詳細な回路構造の図示は省略する）。第一回路基板４７２は、第一コネクタ４７２ｂを備えている。第一コネクタ４７２ｂは、電気回路４７２ａと電気的に接続されている。
【０１１３】
第二回路基板４７３は、光源４７１の点消灯を含む動作を制御するための素子群を含む制御回路４７３ａを備えている（詳細な回路構造の図示は省略する）。第二回路基板４７３は、第二コネクタ４７３ｂを備えている。第二コネクタ４７３ｂは、制御回路４７３ａと電気的に接続されている。
【０１１４】
第一コネクタ４７２ｂと第二コネクタ４７３ｂは、不図示の接続ユニットにより電気的に接続される。接続ユニットは、第一コネクタ４７２ｂに接続されるコネクタと、第二コネクタ４７３ｂに接続されるコネクタと、両コネクタを電気的に接続する接続線を備えている。結果として、光源４７１と制御回路４７３ａが電気的に接続されている。
【０１１５】
図２５は、図２１における線Ｖ４−Ｖ４に沿うフォグランプ４１の断面を矢印方向から見た構成を示している。なお、透光カバー４３も図示に含まれている。
【０１１６】
放熱部材４６は、支持テーブル４６ｄを備えている。支持テーブル４６ｄは、背板４６ａの前面より前方に突出している。すなわち、支持テーブル４６ｄは、灯室４４の内側に位置している。
【０１１７】
第一回路基板４７２は、ネジなどの締結部材によって支持テーブル４６ｄの前面に固定されている。第二回路基板４７３は、ネジなどの締結部材によって支持テーブル４６ｄの下面に固定されている。
【０１１８】
車両側から電力を供給するためのコネクタ（不図示）が、ハウジング４２または放熱部材４６に設けられた給電コネクタ（不図示）に接続される。供給された電力は、制御回路４７３ａに入力される。制御回路４７３ａは、所望の動作に応じた制御信号を出力する。ここで「制御信号」とは、光源４７１の動作状態を規定する電圧または電流の経時的変化を意味する。一時的に一定値をとり続けることもまた「経時的変化」の意味に含む。
【０１１９】
出力された信号は、接続ユニットを介して第一回路基板４７２の電気回路４７２ａに入力され、光源４７１に至る。光源４７１は、制御信号に応じた強度の光を出射する。光源４７１から出射された光の少なくとも一部は、投影レンズ４５を通過する。投影レンズ４５を通過した光は透光カバー４３を通過し、フォグランプ４１の前方を所定の配光パターンで照明する。
【０１２０】
光源４７１の光出射動作に伴い生じる熱は、第一回路基板４７２を介して放熱部材４６に伝わり、放熱部材４６によって放散される。
【０１２１】
製品組立時における誤差や車両への組付け精度のばらつきに起因して、投影レンズ４５の光軸Ａ４の基準位置に所定の仕様からの誤差が生ずることがある。当該誤差に起因して所望の配光パターンが得られない事態を回避するため、フォグランプ４１は、誤差を解消するための光軸調整機構４８を備えている。
【０１２２】
図２６は、光軸調整機構４８を左後上方から見た外観を示す斜視図である。光軸調整機構４８は、スクリュー４８１、ジョイント４８２、およびレンズ支持体４８３を含んでいる。
【０１２３】
スクリュー４８１は、スクリューヘッド４８１ａとスクリューシャフト４８１ｂを備えている。図２５に示されるように、スクリュー４８１は、ハウジング４２を貫通して灯室４４内に延びている。
【０１２４】
スクリューヘッド４８１ａは、ハウジング４２の外側に配置されている。スクリューヘッド４８１ａは、所定の工具により回転操作可能とされている。スクリューシャフト４８１ｂは、ハウジング４２の内側、すなわち灯室４４内に配置されている。図２６に示されるように、スクリューシャフト４８１ｂの外周面にはネジ溝が形成されている。
【０１２５】
レンズ支持体４８３は、支持フレーム４８３ａ、左腕部４８３ｂ、左回動軸４８３ｃ、右腕部４８３ｄ、および右回動軸４８３ｅ（図２３参照）を備えている。
【０１２６】
支持フレーム４８３ａは、投影レンズ４５を支持する枠体である。左腕部４８３ｂは、支持フレーム４８３ａの左部から後方へ延びている。左回動軸４８３ｃは、左腕部４８３ｂより左方に延びる軸体である。右腕部４８３ｄは、支持フレーム４８３ａの右部から後方へ延びている。右回動軸４８３ｅは、右腕部４８３ｄより右方に延びる軸体である。
【０１２７】
ジョイント４８２は、左腕部４８３ｂの後端に設けられている。ジョイント４８２は、第一保持片４８２ａと第二保持片４８２ｂを備えている。図示を省略するが、第一保持片２８２ａの右側面にはネジ溝が形成されている。同様に、第二保持片４８２ｂの左側面にはネジ溝が形成されている。レンズ支持体４８３は、投影レンズ４５を支持している。
【０１２８】
ジョイント４８２は、スクリュー４８１のスクリューシャフト４８１ｂと結合されている。具体的には、第一保持片４８２ａの右側面と第二保持片４８２ｂの左側面に形成されたネジ溝が、スクリューシャフト４８１ｂの外周面に形成されたネジ溝と螺合している。
【０１２９】
図２４に示されるように、放熱部材４６は、左軸受部４６１と右軸受部４６２を備えている。左軸受部４６１の前端には軸受溝が形成されており、前方に開口している。同様に、右軸受部４６２の前端には軸受溝が形成されており、前方に開口している。
【０１３０】
図２３に示されるように、ハウジング４２は、左軸受部４２１と右軸受部４２２を備えている。図２７は、図２１における線Ｈ４−Ｈ４に沿うフォグランプ４１の断面を矢印方向から見た構成を示している。ハウジング４２と放熱部材４６が結合されることにより、レンズ支持体４８３の左回動軸４８３ｃは、回動を許容された状態でハウジング４２の左軸受部４２１と放熱部材４６の左軸受部４６１により挟持される。同様に、レンズ支持体４８３の右回動軸４８３ｅは、回動を許容された状態でハウジング４２の右軸受部４２２と放熱部材４６の右軸受部４６２により挟持される。
【０１３１】
このように構成された光軸調整機構４８の動作について、図２８を参照して説明する。スクリュー４８１のスクリューヘッド４８１ａが所定の工具により所定の方向（例えば、反時計回り）に回転されると、スクリューシャフト４８１ｂとジョイント４８２の螺合により、ジョイント４８２が上方に変位する。これに伴い、レンズ支持体４８３の左腕部４８３ｂが上方に持ち上げられ、レンズ支持体４８３は、左回動軸４８３ｃと右回動軸４８３ｅを中心として同図における反時計回りに回動する。したがって、投影レンズ４５の光軸Ａ４は、下方に向かって傾く。
【０１３２】
スクリューヘッド４８１ａが逆方向（例えば時計回り）に回転されると、スクリューシャフト４８１ｂとジョイント４８２の螺合により、ジョイント４８２が下方に変位する。これに伴い、レンズ支持体４８３の左腕部４８３ｂが下方に押し下げられ、レンズ支持体４８３は、左回動軸４８３ｃと右回動軸４８３ｅを中心として同図における時計回りに回動する。したがって、投影レンズ４５の光軸Ａ４は、上方に向かって傾く。
【０１３３】
すなわち、ジョイント４８２は、スクリュー４８１の回転を、投影レンズ４５の光軸Ａ４と交差する方向へ投影レンズ４５を変位させる力に変換している。
【０１３４】
このような光軸の基準位置の調整は、フォグランプ４１の出荷前や保守点検時に行なわれる。
【０１３５】
図２５に示されるように、本実施形態においては、投影レンズ４５は、第二回路基板４７３よりも前方に配置されている。スクリュー４８１の回転軸Ｓ４は、投影レンズ４５の光軸Ａ４と非平行な向きに延びている。換言すると、スクリュー４８１の回転軸Ｓ４と投影レンズ４５の光軸Ａ４は、ねじれの位置関係にある。
【０１３６】
また、スクリュー４８１の回転軸Ｓ４は、第二回路基板４７３の主面と非平行な向きに延びている。換言すると、スクリュー４８１の回転軸Ｓ４と第二回路基板４７３の主面は、ねじれの位置関係にある。さらに、スクリュー４８１の回転軸Ｓ４は、左右方向（レンズの光軸と交差する向きの一例）から見て第二回路基板４７３と重なるように配置されている。
【０１３７】
このような構成によれば、光源４７１の動作を制御する制御回路４７３ａを備えることにより比較的大きな面積を有する第二回路基板４７３の主面を、投影レンズ４５の光軸Ａ４と平行な向きに延びるように配置できる。本実施形態においては、第二回路基板４７３の主面は、前後左右方向に延びている。これにより、投影レンズ４５と光軸調整機構４８を備えつつも、特に光軸Ａ４に沿う方向から見たフォグランプ４１の断面積が大きくなることを抑制できる。
【０１３８】
本実施形態においては、図２８に示されるように、ジョイント４８２は、スクリュー４８１の回転を、レンズ支持体４８３に設けられた左回動軸４８３ｃおよび右回動軸４８３ｅを中心として投影レンズ４５を光軸Ａ４と交差する方向へ回動させる力に変換する。
【０１３９】
この場合、特許文献１に記載された照明装置と同様の動作原理に基づく光軸調整機構４８を採用しつつも、第二回路基板４７３が投影レンズ４５の後方の空間を効率的に利用するように配置されているため、特に光軸Ａ４に沿う方向から見たフォグランプ４１の断面積が大きくなることを抑制できる。
【０１４０】
上記の実施形態は、本発明の理解を容易にするための例示にすぎない。上記の実施形態に係る構成は、本発明の趣旨を逸脱しなければ、適宜に変更・改良されうる。また、等価物が本発明の技術的範囲に含まれることは明らかである。
【０１４１】
第三実施形態においては、照明装置の一例としてフォグランプ４１を例示した。しかしながら、本発明は、車両に搭載されるように構成され、レンズと当該レンズの光軸を調整する機構を備える各種の照明装置に適用可能である。フォグランプ４１の前後方向、左右方向、および上下方向と車両の前後方向、左右方向、および上下方向はそれぞれ一致している。しかしながら、本発明が適用される照明装置によっては、当該照明装置の前後方向、左右方向、および上下方向と車両の前後方向、左右方向、および上下方向の少なくとも一つは一致しない。
【０１４２】
すなわち、照明装置が搭載される車両の箇所によっては、スクリュー４８１の回転軸Ｓ４の延びる方向は、投影レンズ４５の光軸Ａ４と非平行な向きであれば、車両の左右方向あるいは前後方向でありうる。
【０１４３】
第三実施形態においては、左回動軸４８３ｃと右回動軸４８３ｅが設けられたレンズ支持体４８３と投影レンズ４５は別部材である。しかしながら、投影レンズ４５とレンズ支持体４８３は、一体の樹脂成型品として構成されうる。
【０１４４】
第三実施形態においては、レンズ支持体４８３に軸体としての左回動軸４８３ｃと右回動軸４８３ｅが設けられており、ハウジング４２と放熱部材４６に設けられた軸受部により当該軸体が保持されている。しかしながら、ハウジング４２と放熱部材４６の少なくとも一方に軸体が設けられ、レンズ支持体４８３に設けられた軸受部により当該軸体が保持される構成も採用されうる。
【０１４５】
次に、図２９から図３１を参照しつつ、光軸調整機構のスクリューの配置に係る変形例について説明する。
【０１４６】
第一実施形態と第二実施形態においては、図２９の（Ａ）に示されるように、光軸調整機構２８（３８）のスクリュー２８１（３８１）の回転軸Ｓ２（Ｓ３）は、光源２７１（３７１）が搭載された第一回路基板２７２（３７２）よりも前方に配置されている。また、第二回路基板２７３（３７３）は、第一回路基板２７２（３７２）よりも下方に配置されている。
【０１４７】
しかしながら、スクリュー２８１（３８１）の回転軸Ｓ２（Ｓ３）が光源２７１（３７１）の動作を制御する制御回路が搭載された第二回路基板２７３（３７３）の主面および投影レンズ２５（３５）の光軸Ａ２（Ａ３）と非平行な向きに延びていれば、図２９の（Ｂ）に示されるように、回転軸Ｓ２（Ｓ３）は、第一回路基板２７２（３７２）の後方に配置されていてもよい。また、第二回路基板２７３（３７３）は、第一回路基板２７２（３７２）よりも上方に配置されていてもよい。図示を省略するが、第二回路基板２７３（３７３）は、第一回路基板２７２（３７２）の後方に配置されていてもよい。
【０１４８】
第三実施形態においては、図３０の（Ａ）に示されるように、スクリュー４８１の回転軸Ｓ４は、光源４７１が搭載された第一回路基板４７２よりも後方に配置されている。
【０１４９】
しかしながら、スクリュー４８１の回転軸Ｓ４が光源４７１の動作を制御する制御回路が搭載された第二回路基板４７３の主面および投影レンズ４５の光軸Ａ４と非平行な向きに延びていれば、図３０の（Ｂ）に示されるように、回転軸Ｓ４は、第一回路基板４７２よりも前方に配置されていてもよい。
【０１５０】
第三実施形態においては、図３０の（Ａ）に示されるように、スクリュー４８１は、第二回路基板４７３の側方に配置されている。
【０１５１】
しかしながら、スクリュー４８１の回転軸Ｓ４が投影レンズ４５の光軸Ａ４と非平行な向きに延び、かつ左右方向（レンズの光軸と交差する向きの一例）から見て回転軸Ｓ４が第二回路基板４７３と重なっていれば、スクリュー４８１は、第二回路基板４７３を貫通して延びるように配置されていてもよい。
【０１５２】
第三実施形態においては、図３０の（Ａ）に示されるように、第二回路基板４７３は、前後左右方向に延びるように配置されている。
【０１５３】
しかしながら、スクリュー４８１の回転軸Ｓ４が投影レンズ４５の光軸Ａ４と非平行な向きに延び、かつ左右方向（レンズの光軸と交差する向きの一例）から見て回転軸Ｓ４が第二回路基板４７３と重なっていれば、図３１の（Ａ）に示されるように、第二回路基板４７３は、上下前後方向に延びるように配置されていてもよい。
【０１５４】
図３１の（Ａ）においては、スクリュー４８１の回転軸Ｓ４は、光源４７１が搭載された第一回路基板４７２よりも後方に配置されている。しかしながら、図３１の（Ｂ）に示されるように、回転軸Ｓ４は、第一回路基板４７２よりも前方に配置されてもよい。
【符号の説明】
【０１５５】
２１、３１、４１：フォグランプ、２２、３２、４２：ハウジング、２４、３４、４４：灯室、２７１、３７１、４７１：光源、２８１、３８１、４８１：スクリュー、２８２：ジョイント、２８３：第一連結部、２８４：第二連結部、３８２、４８２：ジョイント、３８２ｃ：第一連結部、３８３ｃ、４８３ｃ：左回動軸、３８３ｅ、４８３ｅ：右回動軸、Ａ２、Ａ３、Ａ４：投影レンズの光軸、Ｓ２、Ｓ３、Ｓ４：スクリューの回転軸
【図１】
0006639314.tif 000002
【図２】
0006639314.tif 000003
【図３】
0006639314.tif 000004
【図４】
0006639314.tif 000005
【図５】
0006639314.tif 000006
【図６】
0006639314.tif 000007
【図７】
0006639314.tif 000008
【図８】
0006639314.tif 000009
【図９】
0006639314.tif 000010
【図１０】
0006639314.tif 000011
【図１１】
0006639314.tif 000012
【図１２】
0006639314.tif 000013
【図１３】
0006639314.tif 000014
【図１４】
0006639314.tif 000015
【図１５】
0006639314.tif 000016
【図１６】
0006639314.tif 000017
【図１７】
0006639314.tif 000018
【図１８】
0006639314.tif 000019
【図１９】
0006639314.tif 000020
【図２０】
0006639314.tif 000021
【図２１】
0006639314.tif 000022
【図２２】
0006639314.tif 000023
【図２３】
0006639314.tif 000024
【図２４】
0006639314.tif 000025
【図２５】
0006639314.tif 000026
【図２６】
0006639314.tif 000027
【図２７】
0006639314.tif 000028
【図２８】
0006639314.tif 000029
【図２９】
0006639314.tif 000030
【図３０】
0006639314.tif 000031
【図３１】
0006639314.tif 000032